(57)【要約】【課題】デザインを印刷したマスクシートの製造方法を提供する。【解決手段】本発明は、デザインを印刷したマスクシートの製造方法、及びこれにより製造されたマスクシートに関するものである。本発明者らは、初めてフレキソ印刷方法をマスクシート製造に適用して、特定の形状が印刷されたマスクシートを開発した。本発明の製造方法は、多様なインク配合による色相でマスクを印刷することができて、従来の色相または形状のないマスクシートとは異なって、美感が存在し、環境に優しい水系またはアルコール系溶剤を使うので、美容製品の加工に多方面に適用することができる。【選択図】図１
2016137704.tif 000002
【特許請求の範囲】
【請求項１】
（ａ）フレキソ印刷方法を用いて不織布原緞に形状を印刷する段階と、
（ｂ）前記不織布原緞を印刷された形状に裁断する段階と、
を含むことを特徴とするデザインを印刷したマスクシートの製造方法。
【請求項２】
前記段階（ａ）が、
ｉ）アンワインダーに不織布原緞を付着させる段階と、
ｉｉ）インクローラーに印刷インクを入れる段階と、
ｉｉｉ）金属からなるアニロックスローラーにインクを伝達する段階と、
ｉｖ）フレキソグラフィック板が固定された板シリンダーで不織布原緞に形状を印刷する段階と、
ｖ）印圧シリンダーとして不織布原緞を板シリンダーに固定する段階と、
を含む請求項１に記載の製造方法。
【請求項３】
前記段階（ｂ）以前に不織布原緞を重なって配列する製版作業をさらに実施する請求項１から２のいずれかに記載の製造方法。
【請求項４】
前記フレキソ印刷方法が、水性またはアルコール性インクを使う請求項１から３のいずれかに記載の製造方法。
【請求項５】
前記不織布原緞が、木材パルプ及び熱可塑性樹脂の混用原緞である請求項１から４のいずれかに記載の製造方法。
【請求項６】
（ａ）フレキソ印刷方法を用いて不織布原緞に形状を印刷する段階と、
（ｂ）前記不織布原緞を印刷された形状に裁断する段階と、
を含む製造方法によって製造されたマスクシート。
【請求項７】
前記マスクシートが、化粧用マスクシートである請求項６に記載のマスクシート。
【発明の詳細な説明】
【技術分野】
【０００１】
本発明は、デザインを印刷したマスクシートの製造方法、及びこれにより製造されたマスクシートに関する。
【背景技術】
【０００２】
一般的なマスクシートは、不織布または綿織物を付着部位に合わせて裁断して包装した後、前記包装物内に化粧料組成物を添加し、それを密封することで製造される。マスクシートは、身体に直接に付着する製品なので、マスクシート自体を製造する際に、別途の添加物質は使わないことが普遍的である。
一方、フレキソ印刷方法（Ｆｌｅｘｏ  ｐｒｉｎｔｉｎｇ；ＦｌｅｘｏｇｒａｐｈｉｃＰｒｉｎｔｉｎｇ）は、柔軟であり、弾性を有するゴムまたは樹脂板を刷版として使い、印刷インクとして水系あるいはアルコールを主材料とする有機溶剤系の蒸発乾燥型インクを使う印刷方式である。フレキソ（Ｆｌｅｘｏ）印刷方法の特徴は、版の複製が容易であり、部分交換が可能であり、後加工後処理（穴抜き、成形ワックス合わせ、鉄心打込みなど）工程を直ちに連結して行えるという点である。また、フレキソ印刷方法は、水系（水またはアルコール系など）溶剤を使うので、環境に優しいという長所がある。
【０００３】
本発明者らは、前記フレキソ印刷方法をマスクシート製造に適用して、特定の形状が印刷されたマスクシートを開発した。即ち、本発明のマスクシートは、フレキソ印刷方式及び人体低刺激性インクを用いてマスクシートの原料である不織布原緞に形状を印刷したものであって、従来の色相または形状のないマスクシートとは異なって、印刷された形状によって、美感が存在するという特徴がある。
本明細書の全般に亘って多数の論文及び特許文献が参照され、その引用が表示されている。引用された論文及び特許文献の開示内容は、その全体として本明細書に参照して挿入されて、本発明が属する技術分野のレベル及び本発明の内容がより明確に説明される。
【発明の概要】
【発明が解決しようとする課題】
【０００４】
本発明者らは、特定の形状が印刷されたマスクシートを開発するために鋭意研究した。その結果、本発明者らは、初めてフレキソ印刷方法をマスクシート製造に適用して、特定の形状が印刷されたマスクシートを開発した。本技術を利用する場合、多様なインク配合による色相でマスクを印刷することができ、従来の色相または形状のないマスクシートとは異なり、美感が存在し、環境に優しい水系（水またはアルコール系など）溶剤を使うので、美容製品の加工に多方面に適用できるということを確認することによって、本発明を完成した。
【０００５】
したがって、本発明の目的は、デザインを印刷したマスクシートの製造方法を提供することである。
本発明の他の目的は、マスクシートを提供することである。
本発明の他の目的及び利点は、下記の発明の詳細な説明、特許請求の範囲及び図面によってより明確になる。
【課題を解決するための手段】
【０００６】
本発明の一様態によれば、本発明は、次の段階を含むマスクシートの製造方法を提供する：（ａ）フレキソ印刷方法を用いて不織布原緞に形状を印刷する段階と、（ｂ）前記不織布原緞を印刷された形状に裁断する段階。
本発明者らは、特定の形状が印刷されたマスクシートを開発するために鋭意研究した。その結果、本発明者らは、初めてフレキソ印刷方法をマスクシート製造に適用して、特定の形状が印刷されたマスクシートを開発した。本技術を利用する場合、多様なインク配合による色相でマスクを印刷することができ、従来の色相または形状のないマスクシートとは異なり、美感が存在し、環境に優しい水系（水またはアルコール系など）溶剤を使うので、美容製品の加工に多方面に適用できるということを確認した。
印刷方式は、大きくオフセット（ｏｆｆ−ｓｅｔ）、グラビア（ｇｒａｖｕｒｅ）、フレキソ及びスクリーン印刷の４種に区分され、そのうち、オフセット、グラビア及びフレキソ印刷方法が、量産のための印刷方式として使われる。オフセット印刷は、出刊物、グラビアは、包装紙、フレキソは、紙ボックスの印刷に主に利用される。オフセット印刷の場合、色数が豊かであるが、湿し水を使っているので色調が不安定であり、印刷機が複雑であるという短所がある。グラビア印刷の場合には、トルエンを溶剤として使っているので、印刷物の乾燥に長時間がかかり、トルエンに長時間露出される場合、癌を誘発する可能性があり、人体に接触する物品の印刷には不適である。また、グラビア印刷は、用紙表面の平滑性の影響を受けやすく、フレキソ印刷と比較して、製版工程が長いという短所がある。フレキソ印刷方法は、輪転方式の陽刻印刷で他の印刷よりも早く乾燥できるという長所を有しており、アルコールタイプの溶剤を使うために、迅速に乾燥できて人体に有害な成分（アルコール、臭いなど）が迅速に蒸発できるという長所がある。これにより、本発明者らは、人体に影響を与えずに大量印刷が可能なフレキソ印刷方法を利用した。
一方、従来のマスクシートは、単純な裁断過程のみを経た無形状のシートで製作されていた。このような点に着眼して、本発明者らは、フレキソ印刷方法を用いてマスクシートに特定の形状を印刷することによって、新たな形態のマスクシートを製造することができる方法を開発した。
【発明の効果】
【０００７】
本発明の特徴及び利点を要約すれば、次の通りである。
（ａ）本発明は、デザインを印刷したマスクシートの製造方法、及びこれにより製造されたマスクシートに関するものである。
（ｂ）本発明者らは、初めてフレキソ印刷方法をマスクシート製造に適用して、特定の形状が印刷されたマスクシートを開発した。
（ｃ）本発明の製造方法は、多様なインク配合による色相でマスクを印刷することができて、従来の色相または形状のないマスクシートとは異なって、美感が存在し、環境に優しい水系またはアルコール系溶剤を使うので、美容製品の加工に多方面に適用することができる。
【図面の簡単な説明】
【０００８】
【図１】図１は、本発明のマスクシート作業工程を示した図面である。
【図２】図２は、フレキソプレートと印刷原理を模式的に示した図面である。
【図３】図３は、フレキソ印刷方法に使われる機器を模式的に示した図面である。
【図４】図４は、不織布原緞の包装紙の入手作業順序を模式的に示した図面である。
【図５Ａ】図５Ａは、本発明の製造方法によるマスクシートの一例を示した図面である。
【図５Ｂ】図５Ｂは、本発明の製造方法によるマスクシートの他の一例を示した図面である。
【図５Ｃ】図５Ｃは、本発明の製造方法によるマスクシートの他の一例を示した図面である。
【図５Ｄ】図５Ｄは、本発明の製造方法によるマスクシートの他の一例を示した図面である。
【発明を実施するための形態】
【０００９】
以下、本発明のマスクシートの製造方法について説明する。
段階（ａ）：不織布原緞の形状印刷
まず、フレキソ印刷方法を用いて不織布原緞に形状を印刷する。
本明細書で、用語”形状”は、色彩または陰影で表現されて平面的なデザインとして表われる特定の形状を意味する。前記形状は、多様な色彩で表現され、公知の多様な形状として表われる。本発明の一具現例によれば、前記形状は、動物の形状または動物の顔形状である。
フレキソ印刷方法は、柔軟材のゴムまたは樹脂板を刷版として使い、印刷インクとして水系あるいはアルコールを主材料とする有機溶剤系の蒸発乾燥型インクを使う印刷方式である（図１及び図２参照）。図３は、フレキソ印刷方法に使われる機器を模式的に示した図面である。
本発明のフレキソ印刷方法は、次の段階として実施される：ｉ）アンワインダー（Ｕｎｗｉｎｄｅｒ）に不織布原緞を付着させる段階と、ｉｉ）インクローラー（Ｆｏｕｎｔａｉｎ  Ｒｏｌｌｅｒ）に印刷インクを入れる段階と、ｉｉｉ）金属からなるアニロックスローラー（Ａｎｉｌｏｘ  Ｒｏｌｌｅｒ）にインクを伝達する段階と、ｉｖ）フレキソグラフィック板が固定された板シリンダー（Ｐｌａｔｅ  Ｃｙｌｉｎｄｅｒ）で不織布原緞に形状を印刷する段階と、ｖ）印圧シリンダー（Ｉｍｐｒｅｓｓｉｏｎ  Ｃｙｌｉｎｄｅｒ）として不織布原緞を板シリンダーに固定する段階。
【００１０】
本発明のフレキソ印刷方法は、人体低刺激性の水性またはアルコール性有機溶剤を主材料とした蒸発乾燥型インクを使うことができる。例えば、前記インクは、蒸発性有機溶媒（例えば、アルコール、アセテート、エーテル、エステルなど）を含み、さらに色素、蒸留水、レジンなどを含有する。インク組成物全体に対して、前記蒸発性有機溶媒は、７５〜８５重量％の含有量で含まれる。
【００１１】
本発明の一例によれば、前記インクは、エチルアルコール、エチルアセテート及びエーテルの有機溶媒、色素、レジンを含む。本発明の特定の具現例によれば、前記インクは、インク組成物全体に対して、エチルアルコール３０〜３５重量％、エチルアセテート１０〜１５重量％及びエーテル１５〜２０重量％、色素５〜１０重量％、レジン（ｒｅｓｉｎ）１０〜１５重量％を含む。
【００１２】
本発明の不織布原緞は、木材パルプ及び熱可塑性樹脂の混用原緞を使うことができる。本発明に利用される熱可塑性樹脂は、当業者に公知の多様な熱可塑性樹脂を利用でき、望ましくは、ポリカーボネート系樹脂、ポリスチレン系樹脂、ポリエーテル系樹脂、ポリスルホン系樹脂、ポリオレフィン系樹脂、ポリイミド系樹脂、フッ素系樹脂、ポリ（メタ）アクリル酸系樹脂、ポリアセタール系樹脂、ポリアミド系樹脂、芳香族ビニル系樹脂、アクリル−ブタジエン−スチレン共重合体樹脂、及びポリ塩化ビニル系樹脂で構成された群から少なくとも１種以上の熱可塑性樹脂が選択され、より望ましくは、親環境的な合成樹脂であるポリエチレンテレフタレート（ＰＥＴ）またはポリエチレンテレフタレートグリコール（ＰＥＴＧ）を使うことができる。本発明の一例によれば、前記不織布原緞は、木材パルプ及びポリエチレンテレフタレートの混用原緞である。
木材パルプ及び熱可塑性樹脂の混用比率は、それぞれ３０〜７０重量％、４０〜６０重量％または４５〜５５重量％であり、本発明の一例によれば、前記混用比率は、それぞれ４７〜５３重量％である。
【００１３】
段階（ｂ）：不織布原緞の裁断
引き続き、前記印刷された不織布原緞を印刷されたサイズと形状とのマスクシートに裁断する。
より詳細には、前記印刷された不織布原緞を適当な長さにスレーティングした後、打孔作業のために、不織布原緞を６０重に配列する（製版作業）。前記重なっておいた不織布原緞をピンで固定させた後（ピン作業）、不織布原緞を印刷されたサイズと形状とのマスクシートに成形する。
本発明の一例によれば、本発明の製造方法は、前記段階（ａ）以後または段階（ｂ）以前に、前記不織布原緞を重なって配列する製版作業をさらに実施することができる。
【００１４】
本発明の他の様態によれば、本発明は、前記マスクシートの製造方法によって製造されたマスクシートを提供する。
マスクシートは、化粧用マスクシートを含んだ多様な用途のマスクシートに製作され、付着する部位の形態、屈曲などの特性によって、多様な形状に製作することができる。例えば、前記マスクシートは、顔、首、腹部、足部、背中、肩、手、足など多様な部位に付着可能な形態で製作され、これに限定されるものではない。
本発明のマスクシートは、前述した本発明のデザインを印刷したマスクシートの製造方法で製造されるものであるために、その２つの間に共通した内容は、繰り返し記載による明細書の過度な複雑性を避けるために、その記載を省略する。
【実施例】
【００１５】
以下、実施例を通じて本発明をさらに詳しく説明する。これら実施例は、単に本発明をより具体的に説明するためのものであって、本発明の要旨によって、本発明の範囲が、これら実施例によって制限されないということは、当業者にとって自明である。
【００１６】
実施例１：マスクシートの製造−不織布原緞の印刷工程
まず、目的に適した不織布原緞（マスクシート用不織布、株式会社ピエンティ製）を準備した後、フレキソ印刷方法を用いて前記裁断されたマスクシートに動物の形状を印刷した。印刷には、材質が柔軟な凸版としてゴムまたは樹脂を使い、印刷インクとしてアルコール性有機溶剤を主材料とした蒸発乾燥型インクを使った（ＰＡＫ  Ｉｎｋ、漢陽インク株式会社製）。表１は、インクの構成成分及び含有量を示す。
【００１７】
フレキソインクの一般性状は、次の通りである。
外観：有色液体
粘度：ｚａｈｎ  ｃｕｐ＃４-  １０〜２０ｓｅｃ
臭気：水性−アンモニア臭い、油性−有機溶剤系臭い
【００１８】
【表１】
2016137704.tif 000003
【００１９】
前記フレキソ印刷方法を利用したペインティングは、版の複製が容易であり、部分交換が可能であり、後加工後処理（穴抜き、成形ワックス合わせ、鉄心打込みなど）工程を直ちに連結して行え、水系（水、アルコール系）溶剤の使用で環境に優しいという長所がある。
【００２０】
図１は、本発明のマスクシートを製作するための作業工程図を示したものであって、製作過程は、次の通りである。
ア．製作しなければならないマスクシートの図案製作及び再版作業
イ．スリーブに樹脂板付着（印刷度数別）
ウ．各度数別インク配合及び色相調色
エ．アンワインダーに原緞付着
オ．各度数別ピント及び図案色相チェック
カ．フレキソ印刷
ｉ）インクローラーにインクを入れて上げる。
ｉｉ）金属からなるアニロックスローラーにインクを伝達する。
ｉｉｉ）フレキソグラフィック板が固定された板シリンダーでインクを被印刷体に印刷する。
ｉｖ）印圧シリンダーとして被印刷体が板シリンダーに固定されるように押す。
キ．各ロール別包装及び出荷−印刷された原緞を乾燥させた後、ロール別包装
【００２１】
より詳細には、次の通りである。
１．柔らかいゴム板に陽刻のイメージを作って印刷版筒に巻く。
２．プラスチックやフォイルなどの材質に容易に乾燥され、薄い膜を形成するフレキソインクをアニロックスローラーに供給する。
３．ドクターチャンバ（Ｄｏｃｔｏｒ  Ｃｈａｍｂｅｒ）で削られ、ローラーカップに残っているインクを樹脂板に転写する。
４．樹脂板のイメージなどに付いたインクは、圧筒と版筒との間に通る原緞の間にキスタッチ程度の印圧を加える。インク供給が遮断されない以上、同量のインクを転写するために、色相差が出ない。
【００２２】
実施例２：マスクシートの製造−不織布原緞の包装紙の入手作業
前記実施例１の不織布原緞を適当な長さにスレーティングする。引き続き、打孔作業のために、不織布原緞を６０重に重ねておく（製版作業）。前記重ねておいた不織布原緞をピンで固定させた後（ピン作業）、不織布原緞を印刷されたサイズと形状とのマスクシートに成形する。
【００２３】
実施例３：マスクシートの皮膚刺激試験（４８ｈｒｓ  Ｓｉｎｇｌｅ  Ｐａｔｃｈ  Ｔｅｓｔ）
実施例１及び実施例２を通じて製造されたマスクシートに対して皮膚刺激試験を行った。本発明の方法によって製造されたアニマルマスク（図５Ａないし図５Ｄ）に対して人体皮膚に対する一次刺激の有無を確認した（試験機関：株式会社ＤＥＲＭＡＰＲＯ）。
化粧品、医薬外品などを含んだ皮膚外用剤の安全性は、使用原料から個別的に管理されるが、各原料が剤形内で相互作用を起こして、異常反応が発生する可能性があるので、最終製品に対する安全性検査が必ず必要である。一般的に最も多く使われる試験方法が、人体貼布試験である。これは、基本的に皮膚外用剤が皮膚に接触された時、皮膚炎が発生するか否かを判断する試験であって、貼布テスト用パッチを被験者の腕などに貼布して皮膚反応を肉眼で観察する。試験は、正常な皮膚を有した被験者に対して行われ、試験の結果、表われる紅斑、浮腫、腫脹、丘疹などの反応に対して専門家が評価して、皮膚外用剤の安全性を判断する。
本試験は、１８歳〜６０歳の男性または女性として皮膚疾患がない健康な者３０人を対象にして実施した。試験物質を０．５×０．５ｃｍ２に切って、Ｆｉｎｎ  Ｃｈａｍｂｅｒｓ（Ｒ）内に付着させた後、試験部位である背中部位に載せ、マイクロポアテープ（ｍｉｃｒｏｐｏｒｅ  ｔａｐｅ）で固定させた。貼布は、４８時間実施し、貼布を除去した後、スキンマーカー（ｓｋｉｎ  ｍａｒｋｅｒ）で試験部位を表示し、３０分間及び２４時間後に、各試験部位を観察し、皮膚反応は、Ｆｒｏｓｃｈ  ＆  Ｋｌｉｇｍａｎ法とＰｅｒｓｏｎａｌ  Ｃａｒｅ  Ｐｒｏｄｕｃｔ  Ｃｏｕｎｃｉｌ（ＰＣＰＣ）ガイドラインを反映した基準によって評価した。一方、４８時間及び７２時間の平均反応度（Ｒｅｓｐｏｎｓｅ）は、下記の式を用いて計算し、各物質に対する平均反応度は、表２の基準によって、その結果を判定した。結果を表３に示す。
【００２４】
【数１】
2016137704.tif 000004
【００２５】
【表２】
2016137704.tif 000005
試験期間の間に、本試験製品４種で皮膚反応が観察されず（表３参照）、結果的に、本試験製品４種を人体皮膚一次刺激側面で低刺激範疇の物質と判断した。
【００２６】
【表３】
2016137704.tif 000006
【００２７】
実施例４：マスクシートの皮膚毒性試験
実施例１及び実施例２を通じて製造された図５Ｃのマスクシートに対して皮膚毒性試験を行った（試験機関：ＫＯＴＩＴＩ試験研究院）。マスクシート内のホルムアルデヒド、有機スズ化合物（トリブチルスズ（ＴＢＴ））及び重金属含有量を評価した。
その結果、ホルムアルデヒドは検出されず（基準：２０ｍｇ／ｋｇ未満）、有機スズ化合物であるＴＢＴが検出されず（基準：０．１ｍｂ／ｋｇ未満）、重金属である鉛、クロム、バリウム、カドミウム、ヒ素、アンチモン、水銀及びセレンが検出されていない（基準：鉛、クロム、バリウム、カドミウム、アンチモン、水銀及びセレン５ｍｇ／ｋｇ未満；ヒ素２ｍｇ／ｋｇ未満）。
【００２８】
以上、本発明の特定の部分を詳しく記述したところ、当業者にとって、このような具体的な技術は、単に望ましい具現例であり、これにより、本発明の範囲が制限されるものではないという点は明白である。したがって、本発明の実質的な範囲は、添付の請求項とその等価物とによって定義される。
【図１】
2016137704.tif 000007
【図２】
2016137704.tif 000008
【図３】
2016137704.tif 000009
【図４】
2016137704.tif 000010
【図５Ａ】
2016137704.tif 000011
【図５Ｂ】
2016137704.tif 000012
【図５Ｃ】
2016137704.tif 000013
【図５Ｄ】
2016137704.tif 000014